(57)【要約】      （修正有）【課題】既存の衛生マスクに対して使用することができ、衛生マスクを装着したまま衛生マスクの下半分を捲り上げ、もとに戻す操作を、簡単に行うことができる衛生マスク捲り上げ補助具を提供する。【解決手段】衛生マスクＭ捲り上げ補助具Ａは、衛生マスクの本体の裏面に配置して使用する板状の補助具であって、中央部１と、中央部から左右方向に延伸する両翼部２、３を有し、衛生マスクの装着者Ｐが、中央部の上端縁を支点として衛生マスク本体の下部を上方に捲り上げた場合に、左右の両翼部は衛生マスク本体により衛生マスクの装着者の顔方向に付勢され、衛生マスク本体の下部を捲り上げた状態を保持可能であることを特徴とする。【選択図】図３
0003234059.tif 000002
【実用新案登録請求の範囲】
【請求項１】
衛生マスクの本体の裏面に配置して使用する板状の補助具であって、
中央部と、
前記中央部から左右方向に延伸する両翼部を有し、
前記衛生マスクの装着者が、前記中央部の上端縁を支点と前記補助具の表裏を反転させるようにして前記衛生マスク本体の下部を上方に捲り上げた場合に、左右の前記両翼部は前記衛生マスク本体により前記衛生マスクの装着者の顔方向に付勢され、前記衛生マスク本体の下部を捲り上げた状態を保持可能であることを特徴とする衛生マスク捲り上げ補助具。
【請求項２】
請求項１記載の衛生マスク捲り上げ補助具であって、
前記両翼部の端部は、前記中央部の下端よりも上方に位置し、前記衛生マスクに重ねた際に、前記衛生マスクの下部両端に、前記両翼部が重ならず、前記衛生マスクを捲り上げた際に前記両翼部を前記装着者の顔方向に付勢する付勢領域を生じさせることを特徴とする衛生マスク捲り上げ補助具。
【請求項３】
請求項２記載の衛生マスク捲り上げ補助具であって、
前記衛生マスク捲り上げ補助具は、前記中央部下端と左右の前記両翼部の端部を頂点とする略三角形形状を有することを特徴とする衛生マスク捲り上げ補助具。
【請求項４】
請求項１乃至３のいずれか記載の衛生マスク捲り上げ補助具であって、
前記中央部は、前記衛生マスク本体の裏面に装着した際、前記衛生マスク本体側に凸となるように湾曲していることを特徴とする衛生マスク捲り上げ補助具。
【請求項５】
請求項１乃至４のいずれか記載の衛生マスク捲り上げ補助具であって、
前記中央部の上端には、装着者の下唇との干渉を回避する切り欠きが形成されていることを特徴とする衛生マスク捲り上げ補助具。
【請求項６】
請求項１乃至５のいずれか記載の衛生マスク捲り上げ補助具であって、
前記中央部の下端は前記衛生マスク本体の下端から下側に露出し、前記衛生マスク本体を捲り上げる際の操作部となることを特徴とする衛生マスク捲り上げ補助具。
【請求項７】
請求項１乃至６のいずれか記載の衛生マスク捲り上げ補助具であって、
前記中央部の下端には、前記衛生マスク本体の下端近傍に係合する係合部を有することを特徴とする衛生マスク捲り上げ補助具。
【請求項８】
請求項１乃至７のいずれか記載の衛生マスク捲り上げ補助具であって、
左右の前記両翼部の端部には、前記衛生マスク本体の左右の縁部近傍にそれぞれ係合する係合部を有することを特徴とする衛生マスク捲り上げ補助具。
【請求項９】
請求項１乃至６のいずれか記載の衛生マスク捲り上げ補助具であって、
前記中央部の下端は、下方に先鋭となる一又は複数の突起が形成されることを特徴とする衛生マスク捲り上げ補助具。
【請求項１０】
請求項１乃至９のいずれか記載の衛生マスク捲り上げ補助具であって、
前記両翼部は、裏面側に湾曲可能な構造を有することを特徴とする衛生マスク捲り上げ補助具。
【請求項１１】
請求項１乃至10のいずれか記載の衛生マスク捲り上げ補助具であって、
前記中央部と左右の前記両翼部は板体を打ち抜くことで一体に形成されることを特徴とする衛生マスク捲り上げ補助具。
【考案の詳細な説明】
【技術分野】
【０００１】
本考案は、既存の衛生マスクとともに使用することで、衛生マスクの下側を捲り上げて、衛生マスクの装着者の口を簡単に露出させることができる補助具に関する。
【背景技術】
【０００２】
感染症の蔓延により衛生マスクを終日装着するにあたって、飲食時、衛生マスクを一時的に外す場合がある。
【０００３】
テーブル毎に透明なシールド板を設置して、会話の際の飛沫拡散を防止する対策を採用できる場合もあるが、例えば、テーブルにコンロや鉄板を配置する飲食業種では、シールド板の設置が困難な場合がある。こういった場合、食べ物や飲み物を口に運んで摂食する時以外は衛生マスクを装着して食べ物の咀嚼や会話をする所作、いわゆるマスク会食が特に求められることがある。
【０００４】
マスク会食の所作は、摂食毎に衛生マスクを外し、また摂食後、これを装着することになるが、この行為は煩雑である。そこで、衛生マスクを着脱せずに摂食可能なマスクとして、以下の先行技術が提案されている。
【先行技術文献】
【特許文献】
【０００５】
【特許文献１】実用新案登録第3230765号
【特許文献２】実用新案登録第3231060号
【０００６】
上記特許文献１の衛生マスクは装着者の口が露出するように開口した下マスクとその開口を覆う上マスクとから構成される。また、上記特許文献２の衛生マスクは、マスクの一部を下方に引き下げることができるスクリーン部材とする構成が開示される。
【０００７】
これらいずれの衛生マスクも、摂食所作において、衛生マスクを摂食の度に着脱することを必要としないという点で利便性を有するが、これらそれぞれの衛生マスクは特殊な構造を有しており、これら衛生マスクを提供するとなると製造工程も煩雑になり、また製造コストも問題となる。
【考案の概要】
【考案が解決しようとする課題】
【０００８】
そこで、本考案の目的は、既存の衛生マスクに対して使用することができ、衛生マスクを装着したまま衛生マスクの下半分を捲り上げ、またはもとに戻す作業を簡単に行うことができる衛生マスク捲り上げ補助具を提供することにある。
【課題を解決するための手段】
【０００９】
上記目的を達成するため、本考案の衛生マスク捲り上げ補助具は、衛生マスクの本体の裏面に配置して使用する板状の補助具であって、中央部と、前記中央部から左右方向に延伸する両翼部を有し、前記衛生マスクの装着者が、前記中央部の上端縁を支点と前記補助具の表裏を反転させるようにして前記衛生マスク本体の下部を上方に捲り上げた場合に、左右の前記両翼部は前記衛生マスク本体により前記衛生マスクの装着者の顔方向に付勢され、前記衛生マスク本体の下部を捲り上げた状態を保持可能であることを特徴とする。
【考案の効果】
【００１０】
本考案の衛生マスク捲り上げ補助具によれば、これを衛生マスクの裏面に配置することで、衛生マスクの下部を捲り上げ、その状態を保持することが可能となり、衛生マスクを外すことなく装着者の口を露出させることができる。
【図面の簡単な説明】
【００１１】
【図１】(ａ)は本考案の第一実施形態に係る衛生マスク捲り上げ補助具の正面図、(ｂ)は同補助具の斜視図。
【図２】(ａ)は同補助具を装着した状態を示す装着者の頭部正面図、(ｂ)は同状態を示す装着者の頭部側面図。
【図３】(ａ)は同補助具を使用して衛生マスクを捲り上げた状態を示す装着者の頭部正面図、(ｂ)は同状態の頭部側面図、また(ｃ)は(ｂ)の部分拡大図である。
【図４】(ａ)は本考案の第二実施形態に係る衛生マスク捲り上げ補助具の正面図、(ｂ)は同補助具の斜視図。
【図５】(ａ)は同補助具を装着した状態を示す装着者の頭部正面図、(ｂ)は同状態を示す装着者の頭部側面図。
【図６】(ａ)は同補助具を使用して衛生マスクを捲り上げた状態を示す装着者の頭部正面図、(ｂ)は同状態の頭部側面図、また(ｃ)は(ｂ)の部分拡大図である。
【図７】本考案の第三実施形態に係る衛生マスク捲り上げ補助具の正面図である。
【考案を実施するための形態】
【００１２】
（第一実施形態）
本考案の衛生マスク捲り上げ補助具の第一実施形態の構造を、図１乃至図３を用いて説明する。
【００１３】
図１に示すように、本実施形態の衛生マスク捲り上げ補助具(以下、補助具という)Aは、薄い板材を打ち抜いた、全体として略三角形のプレート形状を有する。このうち、中央部１は補助具Aの表面Ａａ側が凸、裏面Ａｂ側が凹となるように稜線１ｂをもって折り曲げられている。
【００１４】
中央部１の上端は、補助具Ａを衛生マスクＭに装着した際に、下唇との干渉を回避するためのＶ字状に切り欠き１ｂを形成している。また、中央部１の下端１ｃは下方に突出する形状を有しており、補助具Ａを衛生マスクＭの、口や鼻を覆う本体Ｍａの裏面に重ねた際には、この部分が外側に露出して操作部となる。
【００１５】
また、中央部１は左右方向に延長されてそれぞれ両翼部２，３となっており、中央部１の稜線１ｂに対して左右対称の形状を有している。両翼部２，３の端部２ａ，３ａは、中央部１の下端１ｃに対して高い位置となるように形成されており、中央部１及び両翼部２，３からなる補助具Ａは、上述したように中央部１の下端１ｃ、両翼部２，３の端部２ａ，３ａを頂点とする略三角形状を有している。
【００１６】
中央部１の下部１ｃ、両翼部２，３の端部２ａ，３ａには、打ち抜きにより、中央部１に向けて開くクリップ部４ａ，４ｂ，４ｃが形成されており、これらが衛生マスクＭの本体Ｍａの下縁及び左右縁を把持する係合部４となる。
【００１７】
なお、この補助具Ａは、板材を抜き型で打ち抜いて製造することができ、その際、中央部１の稜線１ａ、切り欠き１ｂ、係合部たるクリップ部４ａ，４ｂ，４ｃも一体に形成することができる。打ち抜く板材の素材はPET、塩ビ、あるいは厚紙など多様な材質から選択することができ、表面Ａａ，裏面Ａｂのいずれの方向にも可撓性がある材質が好ましい。
【００１８】
図２及び図３を用いて、本実施形態の補助具Ａの使用方法を説明する。まず、補助具Ａの装着方法を図２(ａ)(ｂ)を用いて説明する。これら図に示すように、補助具Ａは、装着者Ｐの顔面と衛生マスクＭのマスク本体Ｍａの間に配置して使用する。
【００１９】
より詳しく配置位置を説明すると、補助具Ａの中央部１の切り欠き１ｂが装着者Ｐの下唇下端に当たるように衛生マスクＭの裏面に位置決めし、また、３つのクリップ部４ａ，４ｂ，４ｃをそれぞれ衛生マスクＭの本体Ｍａの下端、左右端を把持する。このとき、クリップ部４ａ，４ｂ，４ｃを有する、中央部１の下端１ｃ、両翼部２，３の端部２ａ，２ｂは衛生マスクＭの本体Ｍａから外に露出し、特に中央部１の下端１ｃは、上述したように、補助具Ａをひっくり返す際の操作部として使用することができる。また、この状態にあっては、衛生マスクＭの左右下部は補助具Ａと重ならない領域Ｍｘが形成される。
【００２０】
衛生マスクＭの裏面に補助具Ａをあてがった状態で、衛生マスクＭを装着すると、衛生マスクＭは耳掛け部の紐Ｍｂ1、Ｍｂ２の弾性により装着者Ｐの顔面に押圧されるので、補助具Ａは間に挟まれて装着者の顎から頬にかけて密着し、安定する。この際、補助具Ａは装着者Ｐの口や鼻を覆わないため、衛生マスク本来のフィルター機能を損なうことはない。
【００２１】
補助具Ａにより衛生マスクを捲り上げる方法を、図３(ａ)(ｂ)(ｃ)を用いて説明する。補助具Ａの中央部１の、衛生マスク本体Ｍａから露出している操作部たる下端部１ｃを摘まみ、補助具Ａの上端を中心にひっくり返すことにより、衛生マスクＭの本体Ｍａの下部を補助具Ａと一緒に裏返す。すなわち、補助具Ａの上端の切り欠き部１ｂを上唇にあてがうことにより、衛生マスク本体Ｍａが上方に裏返り、衛生マスクMの本体M１の下部によって覆われていた装着者Ｐの口を露出させることができる。
【００２２】
このとき、衛生マスクＭの本体Ｍａが補助具Aにより折り畳まれ二つ折りになるのに加えて、耳掛け部Mｂの下側の紐Ｍｂ2が領域Mxを下方斜めに引っ張るために、この部分がさらに重なり、部分的に三つ折りになる。
【００２３】
この状態においては、下側の紐Ｍｂ２が補助具Ａの両翼部２，３を装着者Ｐの顔面に押圧した状態で安定し、装着者Ｐの口が露出した状態を保つことができる。特に、衛生マスクＭと補助具Ａとが重ならない領域Ｍｘを生じさせる本実施形態では、領域Ｍｘがさらに補助具Ａの両翼部２，３を押圧する付勢領域となって、より安定してこの状態を保つ。そして、装着者Ｐは衛生マスクＭを装着したままで、かつ補助具Ａを手で抑えることなく、口を露出さえて飲食を行うことができる。
【００２４】
一方、中央部１の下端部１ｃを持って、補助具Ａを回動させることで、簡単に補助具Ａを図２に示す元の位置に戻すことができるので、衛生マスクＭで口を覆った状態で、食べ物の咀嚼や会話を行うことができる。
【００２５】
（第二実施形態）
次に、本考案の衛生マスク捲り上げ補助具の第二実施形態の構造を、図４乃至図６を用いて説明する。補助具Ａと同様の構成については同じ符号を付してその説明を省略する。
【００２６】
図４に示すように、本実施形態の補助具Bは、可撓性を有する板材を打ち抜いたハート型プレート形状を有する。補助具Bは第一実施形態の補助具Aと同様に、中央部11とこの中央部11から左右方向に延長される両翼部12，13となっており、両翼部12，13の端部12ａ，13ａは、中央部11の下端11ｃに対して高い位置となるように形成されている。なお、補助部Bは第一実施形態の補助具Aと異なり、中央部11 に稜線を有していない。
【００２７】
中央部11の上端は、補助具Bを衛生マスクＭに装着した際に、下唇との干渉を回避するための半円形状の切り欠き11ｂを形成している。また、中央部11の下端11ｃは下方にニードル状に突出する形状を有しており、衛生マスクＭの下端に刺して位置決めする係合部となる。
【００２８】
この補助具Bも補助具Ａと同様に、板材を抜き型で打ち抜いて製造することができ、その際、切り欠き11ｂ、係合部たる下端11ｃも一体に形成することができる。また、打ち抜く板材の素材も補助具Ａと同様であり、表面Ｂａ，裏面Ｂｂのいずれの方向にも可撓性がある材質が好ましい。
【００２９】
図５及び図６を用いて、本実施形態の補助具Ｂの使用方法を説明する。まず、補助具Ｂの装着方法を図５(ａ)(ｂ)を用いて説明する。これら図に示すように、補助具Ｂも、装着者Ｐの顔面と衛生マスクＭのマスク本体Ｍａの間に配置して使用する。
【００３０】
補助具Ｂの装着方法であるが、まず、ニードル状に尖った中央部11の下端11ｃを衛生マスクＭに刺して固定する。そして、この状態で、装着者Ｐは衛生マスクＭを装着するが、補助具Ｂは顔面(顎から頬)と衛生マスクＭのマスク本体Ｍａの間に配置されるが、補助具Ａと異なり、全体は標準的な衛生マスクＭの本体Ｍ１より小さいサイズに設計されており、装着した際、マスク本体Ｍ１の裏面に補助具Bの全体が隠れる。
【００３１】
衛生マスクＭは耳掛け部の紐Ｍｂ1、Ｍｂ２の弾性により、装着者Ｐの顔面に密着するので、補助具Ｂは間に挟まれて安定する。この際、上述した補助具Ａと同様、衛生マスクＭの左右下部には補助具Ｂと重ならない領域Ｍｘが形成される。
【００３２】
補助具Ｂにより衛生マスクを捲り上げる方法を、図６(ａ)(ｂ)(ｃ)を用いて説明する。基本的に上述した補助具Ａと作用効果は同様であるが、補助具Ｂを上側に反転させた際、上方に捲れ上がったマスク本体M１の下端は、下側の耳掛け紐Ｍ２ｂの弾性により斜め下方に引っ張られ、中央部11の尖った下端11ｃがよりマスク本体１に食い込むことになる。
【００３３】
下側の紐Ｍｂ２が両翼部12，13を装着者Ｐの顔面に押圧した状態で安定するのは補助具Ａの場合と同様であるが、上述したように、補助具Ｂは装着者Pの上唇とマスク本体Ｍの下端によって保持され、より安定的にその倒立した姿勢を維持することができる。
【００３４】
また、本実施形態においても、衛生マスクＭと補助具Ｂとが重ならない領域Ｍｘがさらに折り重なって補助具Ｂの両翼部12，13を押圧する付勢領域となって、より安定してこの状態を保つことは、補助具Ａと同様である。
【００３５】
（第三実施形態）
図７を用いて、本件考案の第三実施形態を説明する。他の実施形態と同様の構成については、同じ符号を付して説明を省略する。
【００３６】
図７に示すように、本実施形態の補助具Cは、板材を打ち抜いて製造した、表面Cａ側が凸、裏面Ｃｂ側の両側方向に可撓性を有する略三角形のプレート形状を有する。補助具Aと同様に、中央部21は表面Cａ側が凸、裏面Ｃｂ側が凹となるように稜線21ａをもって折り曲げられ、また上縁にはＶ字型の切り欠き21ｂを形成している。また、中央部21から左右方向に両翼部22，23が延び、稜線21ａに対して左右対称の形状を有する。なお、両翼部22、23の両端は、中央部21の下端21ｃに対して高い位置に形成されているのは、補助具Ａ及びＢと同様である。
【００３７】
この補助具Ｃの中央部21の下端21ｃは、補助具Ｂと同様に衛生マスクＭの裏面下端に刺して使用するが、補助具Ｂのニードル形状と異なり、複数のギザギザが形成された爪型形状を有する。なお、補助具Ｃの使用方法は、補助具Ｂと同じであるため、説明を省略する。
【００３８】
（他の実施形態）
以上、本考案の３つの実施形態を説明したが、その他、本件考案の請求の範囲に属する中で、例えば、全体形状などは多様なサイズで設計できるものとし、また、多様形状を選択することもでき、例えばＴ字型、Ｖ字型、W型などの形状としてもよい。また、上記実施形態では、いずれも打ち抜き加工により、中央部及び左右の両翼部を一体に形成したが、別体を組み立てて構成しても良いし、また、中央部の稜線の左右を対称形状の別体として、稜線がヒンジとなるようにテープなどで両者を固定してもよい。
【００３９】
さらに、衛生マスクに対する係合部については、粘着テープや別体のクリップを取り付けてもよい。また、補助具Bや補助具Cの中央部下端の、衛生マスク裏面に食い込ませる形状について、突起は多様な形状を選択することができる。
【００４０】
加えて、補助具Ａや補助具Ｃの中央部に形成する稜線も、完結スリットや溝、あるいは折り曲げ線を印刷するなどして、装着者が使用直前に自ら折り曲げて形成する構造を採用しても良い。また、厚紙など吸湿性のある素材で製作し、エッセンシャルオイルを浸み込ませ、または、燻製することで、装着時にマスク内を香らせることもできる。
【符号の説明】
【００４１】
Ａ、Ｂ、Ｃ  衛生マスク捲り上げ補助具(補助具)
１，11，21  中央部
１ａ，21ａ  稜線
１ｂ，11ｂ，21ｂ  切り欠き
１ｃ，11ｃ，21ｃ  中央部下端
（１ｃは操作部を兼ね、11ｃ、21ｃは一又は複数の突起を兼ねる）
４  係合部
Ｍ  衛生マスク
Ｍ１  衛生マスクの本体
Ｍ２ａ，Ｍ２ｂ  衛生マスクの耳掛け部の紐
Ｍｘ  衛生マスクが補助具と重ならない領域（付勢領域）
【図１】
0003234059.tif 000003
【図２】
0003234059.tif 000004
【図３】
0003234059.tif 000005
【図４】
0003234059.tif 000006
【図５】
0003234059.tif 000007
【図６】
0003234059.tif 000008
【図７】
0003234059.tif 000009
【手続補正書】
【提出日】令和3年7月16日(2021.7.16)
【手続補正１】
【補正対象書類名】実用新案登録請求の範囲
【補正対象項目名】全文
【補正方法】変更
【補正の内容】
【実用新案登録請求の範囲】
【請求項１】
衛生マスクの本体の裏面に配置して使用する板状の補助具であって、
中央部と、
前記中央部から左右方向に延伸する両翼部を有し、
前記衛生マスクの装着者が、前記中央部の上端縁を支点として前記補助具の表裏を反転させるようにして前記衛生マスク本体の下部を上方に捲り上げた場合に、左右の前記両翼部は前記衛生マスク本体により前記衛生マスクの装着者の顔方向に付勢され、前記衛生マスク本体の下部を捲り上げた状態を保持可能であることを特徴とする衛生マスク捲り上げ補助具。
【請求項２】
請求項１記載の衛生マスク捲り上げ補助具であって、
前記両翼部の端部は、前記中央部の下端よりも上方に位置し、前記衛生マスクに重ねた際に、前記衛生マスクの下部両端に、前記両翼部が重ならず、前記衛生マスクを捲り上げた際に前記両翼部を前記装着者の顔方向に付勢する付勢領域を生じさせることを特徴とする衛生マスク捲り上げ補助具。
【請求項３】
請求項２記載の衛生マスク捲り上げ補助具であって、
前記衛生マスク捲り上げ補助具は、前記中央部下端と左右の前記両翼部の端部を頂点とする略三角形形状を有することを特徴とする衛生マスク捲り上げ補助具。
【請求項４】
請求項１乃至３のいずれか記載の衛生マスク捲り上げ補助具であって、
前記中央部は、前記衛生マスク本体の裏面に装着した際、前記衛生マスク本体側に凸となるように湾曲していることを特徴とする衛生マスク捲り上げ補助具。
【請求項５】
請求項１乃至４のいずれか記載の衛生マスク捲り上げ補助具であって、
前記中央部の上端には、装着者の下唇との干渉を回避する切り欠きが形成されていることを特徴とする衛生マスク捲り上げ補助具。
【請求項６】
請求項１乃至５のいずれか記載の衛生マスク捲り上げ補助具であって、
前記中央部の下端は前記衛生マスク本体の下端から下側に露出し、前記衛生マスク本体を捲り上げる際の操作部となることを特徴とする衛生マスク捲り上げ補助具。
【請求項７】
請求項１乃至６のいずれか記載の衛生マスク捲り上げ補助具であって、
前記中央部の下端には、前記衛生マスク本体の下端近傍に係合する係合部を有することを特徴とする衛生マスク捲り上げ補助具。
【請求項８】
請求項１乃至７のいずれか記載の衛生マスク捲り上げ補助具であって、
左右の前記両翼部の端部には、前記衛生マスク本体の左右の縁部近傍にそれぞれ係合する係合部を有することを特徴とする衛生マスク捲り上げ補助具。
【請求項９】
請求項１乃至６のいずれか記載の衛生マスク捲り上げ補助具であって、
前記中央部の下端は、下方に先鋭となる一又は複数の突起が形成されることを特徴とする衛生マスク捲り上げ補助具。
【請求項１０】
請求項１乃至９のいずれか記載の衛生マスク捲り上げ補助具であって、
前記両翼部は、裏面側に湾曲可能な構造を有することを特徴とする衛生マスク捲り上げ補助具。
【請求項１１】
請求項１乃至10のいずれか記載の衛生マスク捲り上げ補助具であって、
前記中央部と左右の前記両翼部は板体を打ち抜くことで一体に形成されることを特徴とする衛生マスク捲り上げ補助具。
【請求項１２】
請求項１乃至11のいずれか記載の衛生マスク捲り上げ補助具であって、
前記中央部に稜線を形成したことを特徴とする衛生マスク捲り上げ補助具。
【請求項１３】
請求項12記載の衛生マスク捲り上げ補助具であって、
前記稜線はヒンジであることを特徴とする衛生マスク捲り上げ補助具。
【手続補正２】
【補正対象書類名】明細書
【補正対象項目名】０００９
【補正方法】変更
【補正の内容】
【０００９】
上記目的を達成するため、本考案の衛生マスク捲り上げ補助具は、衛生マスクの本体の裏面に配置して使用する板状の補助具であって、中央部と、前記中央部から左右方向に延伸する両翼部を有し、前記衛生マスクの装着者が、前記中央部の上端縁を支点として前記補助具の表裏を反転させるようにして前記衛生マスク本体の下部を上方に捲り上げた場合に、左右の前記両翼部は前記衛生マスク本体により前記衛生マスクの装着者の顔方向に付勢され、前記衛生マスク本体の下部を捲り上げた状態を保持可能であることを特徴とする。